(57)【要約】  無駄な電力損失の発生を低減することができる電力変換装置、電力変換方法及び電力変換システムを提供する。電力変換装置は、太陽電池から供給される直流電力を交流電力に変換する。電力変換装置は、ＤＣフィルタ部と、記憶部と、制御部とを備える。ＤＣフィルタ部は、太陽電池から供給される直流電力のノイズを低減するノイズフィルタと、ノイズフィルタの入力端と出力端を接続するスイッチを有する。制御部は、ＤＣフィルタ部の出力電力に応じて、スイッチを制御する。
2016189874.tif 000002
【特許請求の範囲】
【請求項１】
分散電源から供給される直流電力を交流電力に変換する電力変換装置であって、
前記分散電源から供給される前記直流電力のノイズを低減するノイズフィルタと、該ノイズフィルタの入力端と出力端を接続可能に構成されたスイッチとを有するフィルタ部と、
前記フィルタ部の出力電力に応じて、前記スイッチを制御する制御部と、
を備える電力変換装置。
【請求項２】
前記出力電力と前記ノイズのレベルとを関連付けて電力閾値として記憶する記憶部をさらに備え、
前記制御部は、前記出力電力が前記電力閾値を下回る場合には、前記ノイズフィルタの前記入力端と前記出力端を接続するように、前記スイッチを制御する、ことを特徴とする請求項１に記載の電力変換装置。
【請求項３】
前記ノイズフィルタはチョークコイルを含む、ことを特徴とする請求項１又は２に記載の電力変換装置。
【請求項４】
複数の分散電源から供給される直流電力を交流電力に変換する電力変換装置であって、
前記複数の分散電源のそれぞれから供給される前記直流電力のノイズを低減する複数のフィルタ部と、
制御部と、を備え、
前記複数のフィルタ部は、前記複数の分散電源から供給される直流電力のノイズを低減するノイズフィルタと、該ノイズフィルタの入力端と出力端を接続可能に構成されたスイッチとを有し、
前記制御部は、前記複数のフィルタ部の出力電力の総和である総出力電力に応じて、複数の前記スイッチを制御する、
ことを特徴とする電力変換装置。
【請求項５】
前記出力電力と前記ノイズのレベルとを関連付けて電力閾値として記憶する記憶部をさらに備え、
前記制御部は、前記総出力電力が前記電力閾値を下回る場合には、前記スイッチが前記ノイズフィルタの前記入力端と前記出力端を接続するように、複数の前記スイッチを制御する、ことを特徴とする請求項４に記載の電力変換装置。
【請求項６】
前記ノイズフィルタはチョークコイルを含む、ことを特徴とする請求項４又は５に記載の電力変換装置。
【請求項７】
分散電源から供給される直流電力を交流電力に変換し、該分散電源から供給される直流電力のノイズを低減するフィルタ部を備える電力変換装置における電力変換方法であって、前記フィルタ部は、該分散電源から供給される直流電力のノイズを低減するノイズフィルタと、該ノイズフィルタの入力端と出力端を接続可能に構成されたスイッチとを有し、
前記フィルタ部の出力電力を算出するステップと、
前記出力電力に応じて、前記スイッチを制御するステップと、
を含む電力変換方法。
【請求項８】
複数の分散電源から供給される直流電力を交流電力に変換し、該複数の分散電源のそれぞれから供給される直流電力のノイズを低減する複数のフィルタ部を備える電力変換装置における電力変換方法であって、前記複数のフィルタ部は、前記複数の分散電源から供給される直流電力のノイズを低減するノイズフィルタと、該ノイズフィルタの入力端と出力端を接続可能に構成されたスイッチとを有し、
前記複数のフィルタ部の出力電力の総和である総出力電力を算出するステップと、
前記総出力電力に応じて、複数の前記スイッチを制御するステップと、
を含む電力変換方法。
【請求項９】
分散電源と、該分散電源から供給される直流電力を交流電力に変換する電力変換装置とを備える電力変換システムであって、
前記電力変換装置は、
前記分散電源から供給される直流電力のノイズを低減するノイズフィルタと、該ノイズフィルタの入力端と出力端を接続可能に構成されたスイッチとを有するフィルタ部と、
前記フィルタ部の出力電力に応じて、前記スイッチを制御する制御部と、
を備える電力変換システム。
【請求項１０】
複数の分散電源と、該複数の分散電源から供給される直流電力を交流電力に変換する電力変換装置とを備える電力変換システムであって、
前記電力変換装置は、
前記複数の分散電源のそれぞれから供給される直流電力のノイズを低減する複数のフィルタ部と、
制御部と、を備え、
前記複数のフィルタ部は、前記複数の分散電源から入力される直流電力のノイズを低減するノイズフィルタと、該ノイズフィルタの入力端と出力端を接続するスイッチとを有し、
前記制御部は、前記複数のフィルタ部の出力電力の総和である総出力電力に応じて、複数の前記スイッチを制御する、
ことを特徴とする電力変換システム。
【発明の詳細な説明】
【関連出願へのクロスリファレンス】
【０００１】
本出願は、日本国特許出願２０１５−１０７７２７号（２０１５年５月２７日出願）の優先権を主張するものであり、当該出願の開示全体を、ここに参照のために取り込む。
【技術分野】
【０００２】
本発明は、電力変換装置、電力変換方法及び電力変換システムに関する。
【背景技術】
【０００３】
近年、太陽光や風力等をエネルギー源として発電した直流電力を、商用電力系統へ接続するために交流電力に変換する電力変換装置が普及しつつある。電力変換装置としては、スイッチング方式を採用したものが知られている。【０００４】
スイッチング方式を採用した電力変換装置では、例えばＤＣ／ＤＣコンバータ等内のスイッチング素子のオン／オフ制御により、ノイズが発生する。そこで、このような電力変換装置では、ノイズフィルタを用いて、電力変換装置外へのノイズの流出を低減している（特許文献１）。
【先行技術文献】
【特許文献】
【０００５】
【特許文献１】特開２００８−１４８０６２号公報
【発明の概要】
【０００６】
本開示の一実施形態に係る電力変換装置は、分散電源から供給される直流電力を交流電力に変換する。前記電力変換装置は、前記分散電源から供給される前記直流電力のノイズを低減するノイズフィルタと、該ノイズフィルタの入力端と出力端を接続可能に構成されたスイッチとを有するフィルタ部と、前記フィルタ部の出力電力に応じて、前記スイッチを制御する制御部とを備える。
【０００７】
また、本開示の一実施形態に係る電力変換装置は、複数の分散電源から供給される直流電力を交流電力に変換する。前記電力変換装置は、前記複数の分散電源のそれぞれから供給される前記直流電力のノイズを低減する複数のフィルタ部と、制御部とを備える。前記複数のフィルタ部は、前記複数の分散電源から供給される直流電力のノイズを低減するノイズフィルタと、該ノイズフィルタの入力端と出力端を接続可能に構成されたスイッチとを有する。前記制御部は、前記複数のフィルタ部の出力電力の総和である総出力電力に応じて、複数の前記スイッチを制御する。
【０００８】
また、本開示の一実施形態に係る電力変換方法は、分散電源から供給される直流電力を交流電力に変換し、該分散電源から供給される直流電力のノイズを低減するフィルタ部を備える電力変換装置における電力変換方法である。前記フィルタ部は、該分散電源から供給される直流電力のノイズを低減するノイズフィルタと、該ノイズフィルタの入力端と出力端を接続可能に構成されたスイッチとを有する。前記電力変換方法は、前記フィルタ部の出力電力を算出するステップと、前記出力電力に応じて、前記スイッチを制御するステップとを含む。
【０００９】
また、本開示の一実施形態に係る電力変換方法は、複数の分散電源から供給される直流電力を交流電力に変換し、該複数の分散電源のそれぞれから供給される直流電力のノイズを低減する複数のフィルタ部を備える電力変換装置における電力変換方法である。前記複数のフィルタ部は、前記複数の分散電源から供給される直流電力のノイズを低減するノイズフィルタと、該ノイズフィルタの入力端と出力端を接続可能に構成されたスイッチとを有する。前記電力変換方法は、前記複数のフィルタ部の出力電力の総和である総出力電力を算出するステップと、前記総出力電力に応じて、複数の前記スイッチを制御するステップとを含む。
【００１０】
また、本開示の一実施形態に係る電力変換システムは、分散電源と、該分散電源から供給される直流電力を交流電力に変換する電力変換装置とを備える。前記電力変換装置は、前記分散電源から供給される直流電力のノイズを低減するノイズフィルタと、該ノイズフィルタの入力端と出力端を接続可能に構成されたスイッチとを有するフィルタ部と、前記フィルタ部の出力電力に応じて、前記スイッチを制御する制御部とを備える。
【００１１】
また、本開示の一実施形態に係る電力変換システムは、複数の分散電源と、該複数の分散電源から供給される直流電力を交流電力に変換する電力変換装置とを備える。前記電力変換装置は、前記複数の分散電源のそれぞれから供給される直流電力のノイズを低減する複数のフィルタ部と、制御部とを備える。前記複数のフィルタ部は、前記複数の分散電源から入力される直流電力のノイズを低減するノイズフィルタと、該ノイズフィルタの入力端と出力端を接続するスイッチとを有する。前記制御部は、前記複数のフィルタ部の出力電力の総和である総出力電力に応じて、複数の前記スイッチを制御する。
【図面の簡単な説明】
【００１２】
【図１】本開示の一実施形態に係る電力変換装置の構成の一例を示す図である。
【図２】図１のＤＣフィルタ部の構成の一例を示す図である。
【図３】本開示の一実施形態に係る電力変換装置の動作の一例を示すフローチャートである。
【図４】本開示の他の実施形態に係る電力変換装置の構成の一例を示す図である。
【図５】本開示の他の実施形態に係る電力変換装置の動作の一例を示すフローチャートである。
【発明を実施するための形態】
【００１３】
電力変換装置では、ノイズフィルタを用いると、ノイズフィルタに含まれるチョークコイル等の抵抗成分によって、電力損失が生じ、電力変換効率が悪化してしまう場合がある。
【００１４】
また、スイッチング方式を採用した電力変換装置では、電力変換装置が変換する電力が大きいほど、電力変換装置外に流出するノイズも大きくなる傾向がある。一方で、電力変換装置が変換する電力が小さいほど、電力変換装置外に流出するノイズは小さくなる傾向がある。そのため、ノイズフィルタは、電力変換装置が変換する電力が変化する場合、電力変換装置が最大定格として規定されている電力を変換する際に、電力変換装置外に流出するノイズが規定値以下となるように設計する必要がある。
【００１５】
さらに、電力変換装置のうち太陽光発電用パワーコンディショナや風力発電用パワーコンディショナ等では、供給される電力が比較的短時間のうちに変化するため、変換する電力も比較的短時間に変化する。
【００１６】
従って、電力変換装置では、変換する電力が小さくなった場合に、ノイズフィルタが冗長となり無駄な電力損失を生じさせてしまう場合がある。
【００１７】
本開示の一実施形態に係る電力変換装置、電力変換方法及び電力変換システムによれば、無駄な電力損失の発生を低減することができる。
【００１８】
本実施形態では、分散電源から供給される直流電力を交流電力に変換する電力変換装置について説明する。ここで、分散電源とは、消費地近くに分散配置され、消費地に電力を供給する電源である。分散電源の例として、太陽電池、風力発電装置、蓄電池等が挙げられる。以下では、分散電源は、太陽電池、蓄電池として説明する。
【００１９】
（本開示の一実施形態）
電力変換装置１００は、図１に示すように、太陽電池２１０，２１１，２１２，２１３及び蓄電池３００から供給される直流電力を交流電力に変換し、その変換した交流電力を電力系統に接続した負荷等に供給する。
【００２０】
太陽電池２１０〜２１３は、太陽光のエネルギーを直流電力に変換し、その変換した直流電力を、電力変換装置１００に供給する。太陽電池２１０〜２１３は、例えば、家の屋根等に配置することができる。
【００２１】
蓄電池３００は、充電された電力を放電することにより、直流電力を、電力変換装置１００に供給する。また、蓄電池３００は、例えば、太陽電池２１０〜２１３が発電した電力や電力系統から買電した電力によって充電することができる。
【００２２】
次に、電力変換装置１００について、さらに説明する。
【００２３】
電力変換装置１００は、ＤＣフィルタ部（フィルタ部）１１０，１１１，１１２，１１３，１１４と、ＤＣ／ＤＣコンバータ１２０，１２１，１２２，１２３，１２４と、インバータ１４０と、ＡＣフィルタ部１５０と、制御部１６０と、記憶部１６１とを備える。
【００２４】
ＤＣフィルタ部１１０〜１１４は、それぞれ、太陽電池２１０〜２１３及び蓄電池３００から供給される直流電力のノイズを低減して、ノイズ低減後の直流電力をＤＣ／ＤＣコンバータ１２０〜１２４に供給する。また、ＤＣフィルタ部１１０〜１１４は、それぞれ、制御部１６０から供給される制御信号１０，１１、制御信号２０，２１、制御信号３０，３１、制御信号４０，４１、制御信号５０，５１に基づいて、ＤＣフィルタ部１１０〜１１４内のノイズフィルタを制御する。ＤＣフィルタ部１１０〜１１４の詳細については後述する。
【００２５】
ＤＣ／ＤＣコンバータ１２０〜１２４は、それぞれ、ＤＣフィルタ部１１０〜１１４から供給される直流電力の電圧を所定の電圧に変換し、その変換後の直流電力を、インバータ１４０に出力する。
【００２６】
また、ＤＣ／ＤＣコンバータ１２０〜１２４は、それぞれ、測定部１３０，１３１，１３２，１３３，１３４を有する。測定部１３０〜１３４は、それぞれ、ＤＣフィルタ部１１０〜１１４の出力部における電圧値及び電流値を測定し、その測定した電圧値及び電流値を、制御部１６０に出力する。
【００２７】
インバータ１４０は、ＤＣ／ＤＣコンバータ１２０〜１２４から供給される直流電力を、一括して交流電力に変換し、その変換した交流電力を、ＡＣフィルタ部１５０に出力する。
【００２８】
ＡＣフィルタ部１５０は、インバータ１４０から供給される交流電力のノイズを低減して、ノイズ低減後の交流電力を電力系統に接続した負荷等に供給する。
【００２９】
制御部１６０は、測定部１３０〜１３４から取得する各電圧値及び各電流値を用いて、ＤＣ／ＤＣコンバータ１２０〜１２４がそれぞれ変換する各変換電力値を算出する。ＤＣ／ＤＣコンバータ１２０〜１２４がそれぞれ変換する各変換電力値は、ＤＣフィルタ部１１０〜１１４の出力部における電力値である。そして、制御部１６０は、算出した各変換電力値と、記憶部１６１に記憶されている電力閾値Ｐ０１，Ｐ０２，Ｐ０３、電力閾値Ｐ１１，Ｐ１２，Ｐ１３、電力閾値Ｐ２１，Ｐ２２，Ｐ２３、電力閾値Ｐ３１，Ｐ３２，Ｐ３３、電力閾値Ｐ４１，Ｐ４２，Ｐ４３とに基づいて、それぞれ、ＤＣフィルタ部１１０〜１１４内のノイズフィルタを制御するために、制御信号１０，１１、制御信号２０，２１、制御信号３０，３１、制御信号４０，４１、制御信号５０，５１を、ＤＣフィルタ部１１０〜１１４に出力する。制御部１６０の機能の詳細については後述する。
【００３０】
記憶部１６１は、電力閾値Ｐ０１〜Ｐ０３，Ｐ１１〜Ｐ１３，Ｐ２１〜Ｐ２３，Ｐ３１〜Ｐ３３，Ｐ４１〜Ｐ４３を記憶する。電力閾値Ｐ０１〜Ｐ０３，Ｐ１１〜Ｐ１３，Ｐ２１〜Ｐ２３，Ｐ３１〜Ｐ３３，Ｐ４１〜Ｐ４３は、それぞれ、ＤＣフィルタ部１１０〜１１４を制御する際に用いる電力閾値である。
【００３１】
以下、ＤＣフィルタ部１１０〜１１４の詳細について説明する。なお、ＤＣフィルタ部１１０〜１１４は、同様の構成を採用することができるため、以下では、ＤＣフィルタ部１１０を例に説明する。また、以下では、ＤＣフィルタ部１１０〜１１４について、同様の構成要素は、説明の便宜上、同一符号で称する。
【００３２】
ＤＣフィルタ部１１０は、図２に示すように、ノイズフィルタ１７０，１７１と、スイッチ１７２，１７３とを有する。
【００３３】
ノイズフィルタ１７０，１７１は、チョークコイル等を含むコモンモードフィルタである。ノイズフィルタ１７０の入力端は、太陽電池２１０に接続され、ノイズフィルタ１７０の出力端は、ノイズフィルタ１７１の入力端に接続される。また、ノイズフィルタ１７１の入力端は、ノイズフィルタ１７０の出力端に接続され、ノイズフィルタ１７１の出力端は、ＤＣ／ＤＣコンバータ１２０に接続される。
【００３４】
以下では、ノイズフィルタ１７０の方がノイズフィルタ１７１よりも、例えばノイズフィルタ１７０に含まれるチョークコイルの巻き数がノイズフィルタ１７１に含まれるチョークコイルの巻き数よりも多いため、ノイズ低減効果が大きいものとして説明する。またこの際、ノイズフィルタ１７０の方がノイズフィルタ１７１よりも、例えばノイズフィルタ１７０に含まれるチョークコイルのコイル導線の抵抗値がノイズフィルタ１７１に含まれるチョークコイルのコイル導線の抵抗値よりも大きくなるため、抵抗値が大きくなる。
【００３５】
スイッチ１７２は、例えばノイズフィルタ１７０の入力端と出力端との間に接続され、ノイズフィルタ１７０の入力端と出力端を接続可能に構成される。スイッチ１７２は、制御部１６０から供給される制御信号１０に基づき、オン状態になると、ノイズフィルタ１７０の入力端と出力端を接続する。これにより、太陽電池２１０から供給される直流電力は、ノイズフィルタ１７０を迂回するようになる。一方、スイッチ１７２が、制御部１６０から供給される制御信号１１に基づき、オフ状態になると、ノイズフィルタ１７０の入力端に供給される直流電力は、ノイズフィルタ１７０を通過する。スイッチ１７２には、例えば、電磁式リレー、ＦＥＴ（Field Effect Transistor）を用いることができる。
【００３６】
スイッチ１７３は、例えばノイズフィルタ１７１の入力端と出力端との間に接続され、ノイズフィルタ１７１の入力端と出力端を接続可能に構成される。スイッチ１７３は、制御部１６０から供給される制御信号１１に基づき、オン状態になると、ノイズフィルタ１７１の入力端と出力端を接続する。これにより、太陽電池２１０からの直流電力は、ノイズフィルタ１７１を迂回するようになる。一方、スイッチ１７３が、制御部１６０から供給される制御信号１１に基づき、オフ状態になると、ノイズフィルタ１７１の入力端に供給される直流電力は、ノイズフィルタ１７１を通過する。スイッチ１７３には、例えば、電磁式リレー、ＦＥＴを用いることができる。
【００３７】
ここで、ＤＣフィルタ部１１０のノイズ低減効果についてまとめると、スイッチ１７２，１７３がオフ状態のとき、太陽電池２１０から供給される直流電力はノイズフィルタ１７０，１７１を経てＤＣ／ＤＣコンバータ１２０に供給されるため、ノイズ低減効果が最大になる。また、スイッチ１７２がオフ状態、かつスイッチ１７３がオン状態のとき、太陽電池２１０から供給される直流電力はノイズフィルタ１７０を経てＤＣ／ＤＣコンバータ１２０に供給されるため、ノイズ低減効果は、二番目に大きくなる。また、スイッチ１７２がオン状態、かつスイッチ１７３がオフ状態のとき、太陽電池２１０から供給される直流電力はノイズフィルタ１７１を経てＤＣ／ＤＣコンバータ１２０に供給されるため、ノイズ低減効果は、三番目に大きくなる。また、スイッチ１７２，１７３がオン状態のとき、太陽電池２１０から供給される電力はノイズフィルタ１７０，１７１を経由せずにＤＣ／ＤＣコンバータ１２０に供給されるため、ノイズ低減効果は最小になる。
【００３８】
次に、制御部１６０の機能の詳細について、ＤＣフィルタ部１１０の制御を例に説明する。ここで、制御部１６０がＤＣフィルタ部１１０の制御の際に用いる電力閾値Ｐ０１〜Ｐ０３について、電力閾値Ｐ０１が一番大きく、電力閾値Ｐ０２が二番目に大きく、電力閾値Ｐ０３が最小であるものとする。まず、制御部１６０は、測定部１３０から取得する電圧値及び電流値を用いて、ＤＣ／ＤＣコンバータ１２０が変換する変換電力値Ｐを算出する。そして、制御部１６０は、算出した変換電力値Ｐが、一番大きい電力閾値Ｐ０１より大きいか否か判定する。制御部１６０は、算出した変換電力値Ｐが一番大きい電力閾値Ｐ０１より大きいと判定した場合、スイッチ１７２，１７３がオフ状態になるように、制御信号１０，１１を、ＤＣフィルタ部１１０に出力する。一方、制御部１６０は、算出した変換電力値Ｐが一番大きい電力閾値Ｐ０１より大きくないと判定した場合、さらに、算出した変換電力値Ｐが、二番目に大きい電力閾値Ｐ０２より大きいか否か判定を行う。制御部１６０は、算出した変換電力値Ｐが二番目に大きい電力閾値Ｐ０２より大きいと判定した場合、スイッチ１７２がオン状態、かつスイッチ１７３がオフ状態となるように、制御信号１０，１１を、ＤＣフィルタ部１１０に出力する。一方、制御部１６０は、算出した変換電力値Ｐが二番目に大きい電力閾値Ｐ０２より大きくないと判定した場合、さらに、算出した変換電力値Ｐが、最小の電力閾値Ｐ０３より大きいか否か判定を行う。制御部１６０は、算出した変換電力値Ｐが最小の電力閾値Ｐ０３より大きいと判定した場合、スイッチ１７２がオフ状態、かつスイッチ１７３がオン状態となるように、制御信号１０，１１を、ＤＣフィルタ部１１０に出力する。一方、制御部１６０は、算出した変換電力値Ｐが最小の電力閾値Ｐ０３より大きくないと判定した場合、スイッチ１７２，１７３がオン状態となるように、制御信号１０，１１を、ＤＣフィルタ部１１０に出力する。なお、制御部１６０は、ＤＣフィルタ部１１１〜１１４についても、ＤＣフィルタ部１１０と同様に、それぞれ変換電力値を算出し、その算出した各変換電力値と電力閾値Ｐ１１〜Ｐ１３、電力閾値Ｐ２１〜Ｐ２３、電力閾値Ｐ３１〜Ｐ３３、電力閾値Ｐ４１〜Ｐ４３とに基づいて、それぞれ、制御信号２０，２１、制御信号３０，３１、制御信号４０，４１、制御信号５０，４１を、ＤＣフィルタ部１１１〜１１４に出力する。
【００３９】
続いて、電力変換装置１００の動作について説明する。なお、制御部１６０は、ＤＣフィルタ部１１０〜１１４に対して、それぞれ、制御信号１０，１１、制御信号２０，２１、制御信号３０，３１、制御信号４０，４１、制御信号５０，５１を用い、同様の制御を行っているため、以下では、ＤＣフィルタ部１１０を例に説明する。
【００４０】
図３に示すフローチャートを参照して、本開示の一実施形態に係る電力変換装置１００の動作の一例を説明する。
【００４１】
まず、電力変換装置１００の制御部１６０は、ＤＣ／ＤＣコンバータ１２０の測定部１３０から取得する電圧値及び電流値を用いて、ＤＣ／ＤＣコンバータ１２０が変換する変換電力値Ｐを算出する（ステップＳ１０１）。
【００４２】
その後、制御部１６０は、算出した変換電力値Ｐが、記憶部１６１に記憶されている一番大きい電力閾値Ｐ０１より大きいか否か判定する（ステップＳ１０２）。制御部１６０は、算出した変換電力値Ｐが一番大きい電力閾値Ｐ０１より大きいと判定した場合（ステップＳ１０２：Ｙｅｓ）、ステップＳ１０３の処理に進む。一方、制御部１６０は、算出した変換電力値Ｐが一番大きい電力閾値Ｐ０１より大きくないと判定した場合（ステップＳ１０２：Ｎｏ）、ステップＳ１０４の処理に進む。
【００４３】
ステップＳ１０３の処理では、制御部１６０は、スイッチ１７２，１７３がオフ状態となるように、制御信号１０，１１を出力する。これにより、太陽電池２１０から供給される直流電力は、ノイズフィルタ１７０，１７１を経て、ＤＣ／ＤＣコンバータ１２０に供給される。
【００４４】
このように、変換電力値Ｐが一番大きい電力閾値Ｐ０１より大きく、ＤＣ／ＤＣコンバータ１２０が変換する電力が大きい場合、電力変換装置１００から流出するノイズも大きくなると想定される。そのため、スイッチ１７２，１７３をオフ状態にし、ＤＣフィルタ部１１０のノイズ低減効果を最大にする。
【００４５】
ステップＳ１０４の処理では、制御部１６０は、算出した変換電力値Ｐが、記憶部１６１に記憶されている二番目に大きい電力閾値Ｐ０２より大きいか否か判定する。制御部１６０は、算出した変換電力値Ｐが二番目に大きい電力閾値Ｐ０２より大きいと判定した場合（ステップＳ１０４：Ｙｅｓ）、ステップＳ１０５の処理に進む。一方、制御部１６０は、算出した変換電力値Ｐが二番目に大きい電力閾値Ｐ０２より大きくないと判定した場合（ステップＳ１０４：Ｎｏ）、ステップ１０６の処理に進む。
【００４６】
ステップＳ１０５の処理では、制御部１６０は、スイッチ１７２がオフ状態、かつスイッチ１７３がオン状態となるように、制御信号１０，１１を出力する。これにより、太陽電池２１０から供給される直流電力は、ノイズフィルタ１７０を経て、ＤＣ／ＤＣコンバータ１２０に供給される。
【００４７】
このように、変換電力値Ｐが一番大きい電力閾値Ｐ０１より小さく二番目に大きい電力閾値Ｐ０２より大きい場合、スイッチ１７２がオフ状態、かつスイッチ１７３がオン状態になるようにし、ＤＣフィルタ部１１０のノイズ低減効果を二番目に大きい状態にする。またこの際、冗長となるノイズフィルタ１７１は、使用していない状態となる。これにより、ノイズフィルタ１７１よって生じる無駄な電力損失の発生を低減することができる。
【００４８】
ステップＳ１０６の処理では、制御部１６０は、算出した変換電力値Ｐが、記憶部１６１に記憶されている最小の電力閾値Ｐ０３より大きいか否か判定する。制御部１６０は、算出した変換電力値Ｐが最小の電力閾値Ｐ０３より大きいと判定した場合（ステップＳ１０６：Ｙｅｓ）、ステップＳ１０７の処理に進む。一方、制御部１６０は、算出した変換電力値Ｐが最小の電力閾値Ｐ０３より大きくないと判定した場合（ステップＳ１０６：Ｎｏ）、ステップＳ１０８の処理に進む。
【００４９】
ステップＳ１０７の処理では、制御部１６０は、スイッチ１７２がオン状態、かつスイッチ１７３がオフ状態となるように、制御信号１０，１１を出力する。これにより、太陽電池２１０から供給される直流電力は、ノイズフィルタ１７１を経て、ＤＣ／ＤＣコンバータ１２０に供給される。
【００５０】
このように、変換電力値Ｐが二番目に大きい電力閾値Ｐ０２より小さく最小の電力閾値Ｐ０３より大きい場合、スイッチ１７２がオン状態、かつスイッチ１７３がオフ状態となるようにし、ＤＣフィルタ部１１０のノイズ低減効果を三番目に大きい状態にする。またこの際、冗長となるノイズフィルタ１７０は、使用していない状態となる。これにより、ノイズフィルタ１７０によって生じる無駄な電力損失の発生を低減することができる。
【００５１】
ステップＳ１０８の処理では、制御部１６０は、スイッチ１７２，１７３がオン状態となるように、制御信号１０，１１を出力する。これにより、太陽電池２１０から供給される直流電力は、ノイズフィルタ１７０，１７１を経由せずに、ＤＣ／ＤＣコンバータ１２０に供給される。
【００５２】
このように、変換電力値Ｐが最小の電力閾値Ｐ０３より小さく、ＤＣ／ＤＣコンバータ１２０が変換する電力が小さい場合、電力変換装置１００から流出するノイズは小さいと想定される。そのため、スイッチ１７２，１７３をオン状態にし、ＤＣフィルタ部１１０のノイズ低減効果を最小にする。またこの際、冗長となるノイズフィルタ１７０，１７１は、使用していない状態となる。これにより、ノイズフィルタ１７０，１７１によって生じる無駄な電力損失の発生を低減することができる。
【００５３】
なお、電力閾値Ｐ０１〜Ｐ０３、電力閾値Ｐ１１〜Ｐ１３、電力閾値Ｐ２１〜Ｐ２３、電力閾値Ｐ３１〜Ｐ３３、電力閾値Ｐ４１〜Ｐ４３は、制御部１６０が予め算出した各変換電力値に基づいて設定してもよい。例えば、制御部１６０は、初期設定時等にＤＣ／ＤＣコンバータ１２０の変換電力値を予め算出し、その算出した変換電力値の７５％を電力閾値Ｐ０１、その算出した変換電力値の５０％を電力閾値Ｐ０２、その算出した変換電力値の２５％を電力閾値Ｐ０３としてもよい。
【００５４】
また、ＡＣフィルタ部１５０に上述したＤＣフィルタ部１１０〜１１４と同様の構成を採用し、上述したＤＣフィルタ部１１０〜１１４の制御と同様にして、ＡＣフィルタ部１５０において、使用するノイズフィルタの選択を行ってもよい。
【００５５】
また、上記では、測定部１３０〜１３４は、それぞれ、ＤＣフィルタ部１１０〜１１４の出力部における電力値及び電流値を測定するものとして説明したが、ＤＣ／ＤＣコンバータ１２０〜１２４内で所定の電圧に変換された後の電力値及び電流値を測定してもよい。また、測定部１３０〜１３４をインバータ１４０内に配置し、交流電力に変換した後の電力値及び電流値を測定してもよい。
【００５６】
また、上記では、制御部１６０は、ＤＣ／ＤＣコンバータ１２０〜１２４がそれぞれ変換する各変換電力値を算出するものとして説明したが、ＤＣ／ＤＣコンバータ１２０〜１２４が変換する各変換電力値の総和である総変換電力値を算出してもよい。
【００５７】
また、上記では、ＤＣフィルタ部１１０は、二段のノイズフィルタ１７０，１７１を有するものとして説明してきたが、ノイズフィルタの数はこれに限定されない。また、ノイズフィルタ１７０の方がノイズフィルタ１７１よりも、ノイズ低減効果が大きいものとして説明してきたが、ノイズ低減効果は同一であってもよい。また、ノイズフィルタ１７０の方がノイズフィルタ１７１よりも、ノイズ低減効果が小さくてもよい。
【００５８】
また、上記では、電力変換装置１００は、太陽電池２１０〜２１３及び蓄電池３００から供給される直流電力がＤＣフィルタ部１１０〜１１４を経てＤＣ／ＤＣコンバータ１２０〜１２４に供給するまでの５つの経路を有しているが、この経路の数はこれに限定されない。例えば、電力変換装置１００は、１つの経路のみを有していてもよい。
【００５９】
以上のように、電力変換装置１００では、ＤＣ／ＤＣコンバータ１２０〜１２４が変換する各変換電力値に応じて、ＤＣフィルタ部１１０〜１１４において、使用するノイズフィルタ１７０，１７１を選択し、冗長となるノイズフィルタを使用しない状態にしている。これにより、太陽電池２１０〜２１３のような電力変換装置１００に供給される電力が比較的短時間のうちに変化する分散電源を用いた場合において、電力変換装置１００が変換する電力が小さい場合に、無駄な電力損失の発生を低減することができる。
【００６０】
さらに、電力変換装置１００では、制御信号１０，１１、制御信号２０，２１、制御信号３０，３１、制御信号４０，４１、制御信号５０，５１を用いて、それぞれ別個に、ＤＣフィルタ部１１０〜１１４において、使用するノイズフィルタ１７０，１７１の選択を行っている。これにより、太陽電池２１０〜２１３と蓄電池３００のように挙動の異なる分散電源を用いても、ＤＣフィルタ部１１０〜１１４のそれぞれにおいて、使用するノイズフィルタ１７０，１７１を選択することができ、冗長となるノイズフィルタを使用しない状態にできる。そのため、電力変換装置１００が変換する電力が小さい場合に、無駄な電力損失の発生をさらに低減することができる。
【００６１】
（本開示の他の実施形態）
図４に示す構成要素で図１に示す構成要素と同一のものは同一符号を付し、その説明を省略する。
【００６２】
電力変換装置１００ａは、ＤＣフィルタ部１１０〜１１４と、ＤＣ／ＤＣコンバータ１２０〜１２４と、インバータ１４０と、ＡＣフィルタ部１５０と、制御部１６０ａと、記憶部１６１ａとを備える。
【００６３】
ここで、一実施形態では、制御部１６０が、それぞれ、制御信号１０，１１、制御信号２０，２１、制御信号３０，３１、制御信号４０，４１、制御信号５０，５１を、ＤＣフィルタ部１１０〜１１４に出力し、それぞれ別個に、ＤＣフィルタ部１１０〜１１４内のノイズフィルタ１７０，１７１の制御を行っていた。他の実施形態では、制御部１６０ａが、制御信号６０，６１を、ＤＣフィルタ部１１０〜１１４に出力し、一括して、ＤＣフィルタ部１１０〜１１４内のノイズフィルタ１７０，１７１の制御を行う。
【００６４】
制御部１６０ａは、測定部１３０〜１３４から取得する各電力値及び各電流値を用いて、ＤＣ／ＤＣコンバータ１２０〜１２４がそれぞれ変換する変換電力値Ｐ１〜Ｐ５を算出する。そして、制御部１６０ａは、算出した変換電力値Ｐ１〜Ｐ５の総和をとり、総変換電力値Ｐｔを算出する。総変換電力値Ｐｔは、ＤＣフィルタ部１１０〜１１４の出力部における電力値の総和である。さらに、制御部１６０ａは、算出した総変換電力値Ｐｔと、記憶部１６１ａに記憶されている電力閾値Ｐｔ１，Ｐｔ２，Ｐｔ３とに基づき、ＤＣフィルタ部１１０〜１１４内のノイズフィルタ１７０，１７１を制御するために、制御信号６０，６１を、ＤＣフィルタ部１１０〜１１４にそれぞれ出力する。ここで、電力閾値Ｐｔ１〜Ｐｔ３について、電力閾値Ｐｔ１が一番大きく、電力閾値Ｐｔ２が二番目に大きく、電力閾値Ｐｔ３が最小であるものとする。具体的には、制御部１６０は、算出した総変換電力値Ｐｔが、一番大きい電力閾値Ｐｔ１より大きいか否か判定する。制御部１６０は、算出した総変換電力値Ｐｔが一番大きい電力閾値Ｐｔ１より大きいと判定した場合、ＤＣフィルタ部１１０〜１１４のそれぞれのスイッチ１７２，１７３がオフ状態になるように、制御信号６０，６１を、ＤＣフィルタ部１１０〜１１４のそれぞれに出力する。一方、制御部１６０ａは、算出した総変換電力値Ｐｔが一番大きい電力閾値Ｐｔ１より大きくないと判定した場合、さらに、算出した総変換電力値Ｐｔが、二番目に大きい電力閾値Ｐｔ２より大きいか否か判定を行う。制御部１６０ａは、算出した総変換電力値Ｐｔが二番目に大きい電力閾値Ｐｔ２より大きいと判定した場合、ＤＣフィルタ部１１０〜１１４のそれぞれのスイッチ１７２がオン状態、かつスイッチ１７３がオフ状態となるように、制御信号６０，６１を、ＤＣフィルタ部１１０〜１１４のそれぞれに出力する。一方、制御部１６０ａは、算出した総変換電力値Ｐｔが二番目に大きい電力閾値Ｐｔ２より大きくないと判定した場合、さらに、算出した総変換電力値Ｐｔが、最小の電力閾値Ｐｔ３より大きいか否か判定を行う。制御部１６０ａは、算出した総変換電力値Ｐｔが最小の電力閾値Ｐｔ３より大きいと判定した場合、ＤＣフィルタ部１１０〜１１４のそれぞれのスイッチ１７２がオフ状態、かつスイッチ１７３がオン状態となるように、制御信号６０，６１を、ＤＣフィルタ部１１０〜１１４のそれぞれに出力する。一方、制御部１６０ａは、算出した総変換電力値Ｐｔが最小の電力閾値Ｐｔ３より大きくないと判定した場合、ＤＣフィルタ部１１０〜１１４のそれぞれのスイッチ１７２，１７３がオン状態となるように、制御信号６０，６１を、ＤＣフィルタ部１１０〜１１４のそれぞれに出力する。
【００６５】
記憶部１６１ａは、電力閾値Ｐｔ１〜Ｐｔ３を記憶する。電力閾値Ｐｔ１〜Ｐｔ３は、ＤＣフィルタ部１１０〜１１４を制御する際に用いる電力閾値である。
【００６６】
図５に示すフローチャートを参照して、本開示の他の実施形態に係る電力変換装置１００ａの動作の一例を説明する。
【００６７】
まず、電力変換装置１００ａの制御部１６０ａは、ＤＣ／ＤＣコンバータ１２０〜１２４の測定部１３０〜１３４から取得する各電圧値及び各電流値を用いて、ＤＣ／ＤＣコンバータ１２０〜１２４がそれぞれ変換する変換電力値Ｐ１〜Ｐ５を算出する（ステップＳ２０１）。そして、制御部１６０ａは、算出した変換電力値Ｐ１〜Ｐ５の総和をとり、総変換電力値Ｐｔを算出する（ステップＳ２０２）。
【００６８】
その後、制御部１６０ａは、算出した総変換電力値Ｐｔが、記憶部１６１ａに記憶されている一番大きい電力閾値Ｐｔ１より大きいか否か判定する（ステップＳ２０３）。制御部１６０ａは、算出した総変換電力値Ｐｔが一番大きい電力閾値Ｐｔ１より大きいと判定した場合（ステップＳ２０３：Ｙｅｓ）、ステップＳ２０４の処理に進む。一方、制御部１６０は、算出した総変換電力値Ｐｔが一番大きい電力閾値Ｐｔ１より大きくないと判定した場合（ステップＳ２０３：Ｎｏ）、ステップＳ２０５の処理に進む。
【００６９】
ステップＳ２０４の処理では、制御部１６０ａは、ＤＣフィルタ部１１０〜１２４のそれぞれのスイッチ１７２，１７３がオフ状態となるように、制御信号６０，６１をＤＣフィルタ部１１０〜１２４のそれぞれに出力する。これにより、太陽電池２１０〜２１３及び蓄電池３００から供給される直流電力は、ＤＣフィルタ部１１０〜１２４のそれぞれが有するノイズフィルタ１７０，１７１を経て、ＤＣ／ＤＣコンバータ１２０〜１２４に供給される。
【００７０】
このように、総変換電力値Ｐｔが一番大きい電力閾値Ｐｔ１より大きく、ＤＣ／ＤＣコンバータ１２０〜１２４が変換する電力が大きい場合、電力変換装置１００から流出するノイズも大きくなると想定される。そのため、ＤＣフィルタ部１１０〜１1４のそれぞれのスイッチ１７２，１７３をオフ状態にし、ＤＣフィルタ部１１０〜１1４のノイズ低減効果を最大にする。
【００７１】
ステップＳ２０５の処理では、制御部１６０ａは、算出した総変換電力値Ｐｔが、記憶部１６１ａに記憶されている二番目に大きい電力閾値Ｐｔ２より大きいか否か判定する。制御部１６０ａは、算出した総変換電力値Ｐｔが二番目に大きい電力閾値Ｐｔ２より大きいと判定した場合（ステップＳ２０５：Ｙｅｓ）、ステップＳ２０６の処理に進む。一方、制御部１６０ａは、算出した総変換電力値Ｐｔが二番目に大きい電力閾値Ｐｔ２より大きくないと判定した場合（ステップＳ２０５：Ｎｏ）、ステップＳ２０７の処理に進む。
【００７２】
ステップＳ２０６の処理では、制御部１６０ａは、ＤＣフィルタ部１１０〜１２４のそれぞれのスイッチ１７２がオフ状態、かつスイッチ１７３がオン状態となるように、制御信号６０，６１をＤＣフィルタ部１１０〜１２４のそれぞれに出力する。これにより、太陽電池２１０〜２１３及び蓄電池３００から供給される直流電力は、ＤＣフィルタ部１１０〜１１４のそれぞれが有するノイズフィルタ１７０を経て、ＤＣ／ＤＣコンバータ１２０〜１２４に供給される。
【００７３】
このように、総変換電力値Ｐｔが一番大きい電力閾値Ｐｔ１より小さく二番目に大きい電力閾値Ｐｔ２より大きい場合、ＤＣフィルタ部１１０〜１２４のそれぞれのスイッチ１７２がオフ状態、かつスイッチ１７３がオン状態になるようにし、ＤＣフィルタ部１１０〜１１４のノイズ低減効果を二番目に大きい状態にする。またこの際、ＤＣフィルタ部１１０〜１１４のそれぞれの冗長となるノイズフィルタ１７１は、使用していない状態となる。これにより、ノイズフィルタ１７１によって生じる無駄な電力損失の発生を低減することができる。
【００７４】
ステップＳ２０７の処理では、制御部１６０ａは、算出した総変換電力値Ｐｔが、記憶部１６１ａに記憶されている最小の電力閾値Ｐｔ３より大きいか否か判定を行う。制御部１６０ａは、算出した総変換電力値Ｐｔが最小の電力閾値Ｐｔ３より大きいと判定した場合（ステップＳ２０７：Ｙｅｓ）、ステップＳ２０８の処理に進む。一方、制御部１６０ａは、算出した総変換電力値Ｐｔが最小の電力閾値Ｐｔ３より大きくないと判定した場合（ステップＳ２０７：Ｎｏ）、ステップＳ２０９の処理に進む。
【００７５】
ステップＳ２０８の処理では、制御部１６０ａは、ＤＣフィルタ部１１０〜１２４のそれぞれのスイッチ１７２がオン状態、かつスイッチ１７３がオフ状態となるように、制御信号６０，６１をＤＣフィルタ部１１０〜１１４のそれぞれに出力する。これにより、太陽電池２１０〜２１３及び蓄電池３００から供給される直流電力は、ＤＣフィルタ部１１０〜１１４のそれぞれが有するノイズフィルタ１７１を経て、ＤＣ／ＤＣコンバータ１２０〜１２４に供給される。
【００７６】
このように、総変換電力値Ｐｔが二番目に大きい電力閾値Ｐｔ２より小さく最小の電力閾値Ｐｔ３より大きい場合、ＤＣフィルタ部１１０〜１１４のそれぞれのスイッチ１７２がオン状態、かつスイッチ１７３がオフ状態となるようにし、ＤＣフィルタ部１１０〜１１４のノイズ低減効果を三番目に大きい状態にする。またこの際、ＤＣフィルタ部１１０〜１１４の冗長となるノイズフィルタ１７０は、使用していない状態となる。これにより、ノイズフィルタ１７０によって生じる電力損失の発生を低減することができる。
【００７７】
ステップＳ２０９の処理では、制御部１６０ａは、ＤＣフィルタ部１１０〜１１４のそれぞれのスイッチ１７２，１７３がオン状態となるように、制御信号６０，６１をＤＣフィルタ部１１０〜１１４のそれぞれに出力する。これにより、太陽電池２１０〜２１３及び蓄電池３００から供給される直流電力は、ＤＣフィルタ部１１０〜１１４のそれぞれが有するノイズフィルタ１７０，１７１を経由せずに、ＤＣ／ＤＣコンバータ１２０〜１２４に供給される。
【００７８】
このように、総変換電力値Ｐｔが最小の電力閾値Ｐｔ３より小さく、ＤＣ／ＤＣコンバータ１２０〜１２４が変換する電力が小さい場合、電力変換装置１００ａから流出するノイズは小さいと想定される。そのため、ＤＣフィルタ部１１０〜１１４がそれぞれ有するスイッチ１７２，１７３をオン状態にし、ＤＣフィルタ部１１０〜１１４のノイズ低減効果を最小にする。またこの際、ＤＣフィルタ部１１０〜１１４の冗長となるノイズフィルタ１７０，１７１は、使用していない状態となる。これにより、ノイズフィルタ１７０，１７１によって生じる電力損失の発生を低減することができる。
【００７９】
なお、電力閾値Ｐｔ１〜Ｐｔ３は、制御部１６０ａが予め算出した総変換電力値に基づいて設定してもよい。例えば、制御部１６０ａは、初期設定時等にＤＣ／ＤＣコンバータ１２０〜１２４の総変換電力値を予め算出し、その算出した総変換電力値の７５％を電力閾値Ｐｔ１、その算出した総変換電力値の５０％を電力閾値Ｐｔ２、その算出した総変換電力値の２５％を電力閾値Ｐｔ３としてもよい。
【００８０】
また、ＡＣフィルタ部１５０に上述したＤＣフィルタ部１１０〜１１４と同様の構成を採用し、上述したＤＣフィルタ部１１０〜１１４の制御と同様にして、ＡＣフィルタ部１５０において、使用するノイズフィルタの選択を行ってもよい。
【００８１】
また、上記では、測定部１３０〜１３４は、それぞれ、ＤＣフィルタ部１１０〜１１４の出力部における電力値及び電流値を測定するものとして説明したが、ＤＣ／ＤＣコンバータ１２０〜１２４内で所定の電圧に変換された後の電力値及び電流値を測定してもよい。また、測定部１３０〜１３４をインバータ１４０内に配置し、交流電力に変換した後の電力値及び電流値を測定してもよい。
【００８２】
また、上記では、ＤＣフィルタ部１１０は、二段のノイズフィルタ１７０，１７１を有するものとして説明してきたが、ノイズフィルタの数はこれに限定されない。また、ノイズフィルタ１７０の方がノイズフィルタ１７１よりも、ノイズ低減効果が大きいものとして説明してきたが、ノイズ低減効果は同一であってもよい。また、ノイズフィルタ１７０の方がノイズフィルタ１７１よりも、ノイズ低減効果が小さくてもよい。
【００８３】
また、上記では、電力変換装置１００は、太陽電池２１０〜２１３及び蓄電池３００から供給される直流電力がＤＣフィルタ部１１０〜１１４を経てＤＣ／ＤＣコンバータ１２０〜１２４に供給するまでの５つの経路を有しているが、この経路の数はこれに限定されない。
【００８４】
以上のように、電力変換装置１００ａでは、ＤＣ／ＤＣコンバータ１２０〜１２４が変換する総変換電力値に応じて、ＤＣフィルタ部１１０〜１１４において、使用するノイズフィルタ１７０，１７１の選択を行い、冗長となるノイズフィルタを使用しない状態にしている。これにより、太陽電池２１０〜２１３のような電力変換装置１００に供給される電力が比較的短時間のうちに変化する分散電源を用いた場合において、電力変換装置１００ａが変換する電力が小さい場合に、無駄な電力損失の発生を低減することができる。
【００８５】
さらに、電力変換装置１００ａでは、制御信号６０，６１を用いて、ＤＣフィルタ部１１０〜１２４において、使用するノイズフィルタ１７０，１７１の選択を一括して行っている。そのため、制御部１６０が有する制御信号による出力端子や、制御信号によるケーブルの数を削減することができる。これにより、電力変換装置１００ａのサイズ増加やコスト増加を低減することができる。
【００８６】
本開示の一実施形態を諸図面や実施例に基づき説明してきたが、当業者であれば本開示に基づき種々の変形や修正を行うことが容易であることに注意されたい。従って、これらの変形や修正は本開示の範囲に含まれることに留意されたい。例えば、各構成部、各ステップ等に含まれる機能等は論理的に矛盾しないように再配置可能であり、複数の構成部やステップ等を１つに組み合わせたり、或いは分割したりすることが可能である。
【００８７】
本開示内容の制御は、プログラム命令を実行可能なコンピュータシステムその他のハードウェアによって実行される、一連の動作として示される。コンピュータシステムその他のハードウェアには、例えば、汎用コンピュータ、ＰＣ（Personal Computer）、専用コンピュータ、ワークステーション、又はその他のプログラム可能なデータ処理装置が含まれる。各実施形態では、種々の動作は、プログラム命令（ソフトウェア）で実装された専用回路（例えば、特定機能を実行するために相互接続された個別の論理ゲート）や、１つ以上のプロセッサによって実行される論理ブロックやプログラムモジュール等によって実行されることに留意されたい。論理ブロックやプログラムモジュール等を実行する一以上のプロセッサには、例えば、１つ以上のマイクロプロセッサ、ＣＰＵ（Central Processing Unit）、ＡＳＩＣ（Application Specific Integrated Circuit）、ＤＳＰ（Digital Signal Processor）、ＰＬＤ（Programmable Logic Device）、ＦＰＧＡ（Field Programmable Gate Array）、コントローラ、マイクロコントローラ、電子機器、ここに記載する機能を実行可能に設計されたその他の装置、及び／又は、これらいずれかの組合せが含まれる。ここに示す実施形態は、例えば、ハードウェア、ソフトウェア、ファームウェア、ミドルウェア、マイクロコード又はこれらいずれかの組合せによって実装される。
【符号の説明】
【００８８】
１００，１００ａ  電力変換装置
１１０，１１１，１１２，１１３，１１４  ＤＣフィルタ部
１２０，１２１，１２２，１２３，１２４  ＤＣ／ＤＣコンバータ
１３０，１３１，１３２，１３３，１３４  測定部
１４０  インバータ
１５０  ＡＣフィルタ部
１６０，１６０ａ  制御部
１６１，１６１ａ  記憶部
１７０，１７１  ノイズフィルタ
１７２，１７３  スイッチ
２１０，２１１，２１２，２１３  太陽電池
３００  蓄電池
【図１】
2016189874.tif 000003
【図２】
2016189874.tif 000004
【図３】
2016189874.tif 000005
【図４】
2016189874.tif 000006
【図５】
2016189874.tif 000007
【国際調査報告】
2016189874.tif 000008
2016189874.tif 000009
2016189874.tif 000010
2016189874.tif 000011